(57)【要約】【課題】ロータの逆回転時に発生する振動に起因する諸問題を解決することができると共に、スプール往復動装置の耐久性、並びにロータ逆回転時におけるフリー性に優れた魚釣用スピニングリールを提供する。【解決手段】ハンドル軸５の回転操作に応じて回転しスプール４に釣糸を案内する釣糸案内部３ｄを有するロータ３と、先端にスプール４が取り付けられたスプール軸１２と、ハンドル軸５の回転操作運動をスプール軸１２の前後往復動に変換するスプール往復動装置１３と、を備え、スプール往復動装置１３は、釣糸をスプール４から引き出すロータ３の回転時にスプール軸１２を前後往復動させないことを特徴とする。【選択図】図１
2006296416.tif 000002
【特許請求の範囲】
【請求項１】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールから引き出す前記ロータの回転時に前記スプール軸を前後往復動させないことを特徴とする魚釣用スピニングリール。
【請求項２】
ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを備えることを特徴とする魚釣用スピニングリール。
【請求項３】
前記スプール往復動機構は、ハンドル軸の回転操作に応じて回転しその周面に螺旋溝が形成されたウォームシャフトと、前記スプール軸の一端に固定され前記螺旋溝に係合する係合ピンを備える摺動子と、前記ハンドル軸の回転を前記ウォームシャフトに伝達するギヤと、を備え、前記一方向クラッチを、前記ハンドル軸と前記ウォームシャフトとの動力伝達経路上に配設したことを特徴とする請求項２に記載の魚釣用スピニングリール。
【請求項４】
前記一方向クラッチを前記ウォームシャフトと前記ギヤとの連結部分に配設したことを特徴とする請求項３に記載の魚釣用スピニングリール。
【請求項５】
前記スプール往復動機構は、ハンドル軸の回転操作に応じて回転する駆動ギヤと、係合突起を備え前記駆動ギヤに連動回転する制御体と、前記スプール軸の一端に固定され前記係合突起が係合する係合溝が形成された摺動子と、を備え、前記一方向クラッチを前記ハンドル軸と前記制御体との動力伝達経路上に配設したことを特徴とする請求項２に記載の魚釣用スピニングリール。
【請求項６】
釣糸をスプールから引き出す前記ロータの回転に制動力を付与するロータ制動機構を備えることを特徴とする請求項１から請求項５のいずれかに記載の魚釣用スピニングリール。
【発明の詳細な説明】
【技術分野】
【０００１】
本発明は、魚釣用スピニングリールに関し、特に、ハンドルの回転操作運動を、スプールの前後往復動に変換するスプール往復動装置をリール本体内に設けた魚釣用スピニングリールに関する。
【背景技術】
【０００２】
一般に、魚釣用スピニングリールは、ハンドルの回転操作で釣糸案内部を有するロータを回転させると共に、ハンドルの回転運動をリール本体内部に設けたスプール往復動装置により前後動方向に変換することで前後往復動するスプールに、ロータの釣糸案内部を介して釣糸が巻回される構成を有している。
【０００３】
従来、このような魚釣用スピニングリールにおいて、リール本体に上方に向けて牽引可能に取り付けられた操作レバーの牽引操作や、リール本体の後部に設けた操作具の回転操作により、魚のヒットに伴う釣糸の繰り出しによって逆回転するロータに制動力を付与するロータ制動装置を備え、ロータの逆回転をフリーに行わせる一方、操作者の回転操作等により魚とのやり取りを可能とするものが知られている（例えば、特許文献１及び特許文献２参照）。
【０００４】
また、ハンドル軸と駆動歯車とを、カム円板及び駆動爪を含む動力分離機構を介して連結し、当該動力分離機構によりハンドル軸と駆動歯車との連結状態を切り替える魚釣用スピニングリールも知られている（例えば、特許文献３参照）。かかる魚釣用スピニングリールにおいては、ハンドル軸の巻き取り方向の回転に応じてハンドル軸と駆動歯車とを連結し、ピニオンを介してロータを巻き取り方向に回転させる。一方、釣糸の繰り出しでロータが逆回転すると、駆動歯車とハンドル軸との連結状態を解除して駆動歯車を空転させることでロータのみを逆回転させる。このとき、ハンドル軸が摩擦力で回転しようとするが、逆転防止機構でその逆転が制限されるため、動力は後往復動機構に伝達されず、スプール軸は前後動しないように構成されている。
【特許文献１】実公平１−２０８５８号公報
【特許文献２】実公平１−３９１９４号公報
【特許文献３】実開昭５７−１６４５７３号公報
【発明の開示】
【発明が解決しようとする課題】
【０００５】
しかしながら、特許文献１及び特許文献２に記載されるような魚釣用スピニングリールにおいては、ロータの逆回転に連動してスプールが高速で前後往復動することとなる。このため、この前後往復動に応じて発生する振動が、操作者に不快感を与えると共に、釣糸を介して魚に違和感を与えて魚を暴れさせ、魚を取り逃がしたり釣糸を切断したりする原因となり、また、リール本体のネジ締結部に伝わってネジの緩みの原因となるという問題がある。
【０００６】
また、ロータの逆回転に連動してスプールが高速で前後往復動するので、スプール往復動装置における変換係合部（例えば、ウォームシャフトとピン係合部や、係合突起と係合溝）の磨耗や、前後往復動の方向転換時の抵抗発生によるロータ逆回転時のフリー性の劣化を引き起こす原因となるという問題がある。
【０００７】
なお、特許文献３に記載されるような魚釣用スピニングリールにおいては、釣糸の繰り出しに伴うロータの逆回転後に、ハンドル軸を操作して釣糸を巻き取る際、ハンドル軸と駆動歯車とが連結されるまでにタイムラグが生じるため、魚とのやり取りを行う際における機敏性に劣るという問題がある。
【０００８】
さらに、ハンドル軸を回転操作して急に停止させると、ハンドル軸に対する駆動歯車の連結状態が解除され、ロータだけが巻き取り方向に空転してしまう事態が発生し、操作者の意図に反して釣糸を余分に巻き取ってしまう事態が発生し得る。この場合には、仕掛けが竿先に当たって竿先を折損したり、釣糸を切断してしまうという問題がある。
【０００９】
本発明は、上記した問題に鑑みて為されたものであり、ロータの逆回転時に発生する振動に起因する諸問題を解決することができると共に、スプール往復動装置の耐久性、並びにロータ逆回転時におけるフリー性に優れた魚釣用スピニングリールを提供することを目的とする。
【課題を解決するための手段】
【００１０】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールから引き出す前記ロータの回転時に前記スプール軸を前後往復動させないことを特徴とする。
【００１１】
上記した構成の魚釣用スピニングリールによれば、スプール往復動機構が、釣糸をスプールから引き出すロータの回転時にスプール軸を前後往復動させないことから、スプールの前後往復動に応じて発生していた振動を防止することができるので、振動に伴う操作者における不快感を除去すると共に、魚へ与える影響を低減することを通じて釣果を向上させることが可能となる。
【００１２】
また、釣糸をスプールから引き出すロータの回転時にスプール軸の前後往復動が防止されることから、スプール往復動機構の前後往復動に変換する部材の磨耗を回避することができるので、スプール往復動装置の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１３】
上記した目的を達成するために、本発明に係る魚釣用スピニングリールは、ハンドル軸の回転操作に応じて回転しスプールに釣糸を案内する釣糸案内部を有するロータと、先端にスプールが取り付けられたスプール軸と、前記ハンドル軸の回転操作運動を前記スプール軸の前後往復動に変換するスプール往復動機構と、を備え、前記スプール往復動機構は、釣糸をスプールに巻回するロータ正回転時に前記スプール軸を前後往復動させる一方、釣糸をスプールから引き出すロータ逆回転時に前記スプール軸を前後往復動させないように動力伝達を行う一方向クラッチを備えることを特徴とする。
【００１４】
上記した構成の魚釣用スピニングリールによれば、スプール往復動機構の一方向クラッチが、釣糸をスプールから引き出すロータ逆回転時にスプール軸を前後往復動させないように動力伝達を行うことから、スプールの前後往復動に応じて発生していた振動を防止することができるので、振動に伴う操作者における不快感を除去すると共に、魚へ与える影響を低減することを通じて釣果を向上させることが可能となる。
【００１５】
また、釣糸をスプールから引き出すロータの回転時にスプール軸の前後往復動が防止されることから、スプール往復動機構の前後往復動に変換する部材の磨耗を回避することができるので、スプール往復動装置の耐久性に優れたリールを提供することができる。また、スプールの前後往復動の方向転換時の抵抗発生によりロータの逆回転時におけるフリー性が劣化する事態を回避することができるので、ロータ逆回転時におけるフリー性に優れたリールを提供することができる。
【００１６】
上述の構成において、スプール往復動機構は、例えば、ハンドル軸の回転操作に応じて回転しその周面に螺旋溝が形成されたウォームシャフトと、スプール軸の一端に固定され螺旋溝に係合する係合ピンを備える摺動子と、ハンドル軸の回転をウォームシャフトに伝達するギヤと、を備え、一方向クラッチをハンドル軸とウォームシャフトとの動力伝達経路上、例えば、ウォームシャフトとギヤとの連結部分に配設することで上述の効果を得ることが可能である。
【００１７】
この場合、スプール往復動機構に、一方向クラッチによる動力伝達が許容される回転方向へのウォームシャフトの空回りを防止する部材を備えることで、操作者が意図しないウォームシャフトの回転を防止し、スプールの不必要な移動を防止することが可能となる。空回りを防止する部材として、例えば、ウォームシャフトとギヤとの間にフリクションを発生させる部材を備えることで、操作者が意図しないウォームシャフトの回転を防止することが可能となる。また、スプール往復動機構に、ウォームシャフトにおける一方向クラッチとの連結部分に補強部材を備えることで、ウォームシャフトの重量の増加を最小限に抑えつつ、一方向クラッチとの連結部分の強度を得ることが可能となる。
【００１８】
また、上述の構成において、スプール往復動機構は、例えば、ハンドル軸の回転操作に応じて回転する駆動ギヤと、係合突起を備え駆動ギヤに連動回転する制御体と、スプール軸の一端に固定され係合突起が係合する係合溝が形成された摺動子と、を備え、一方向クラッチをハンドル軸と制御体との動力伝達経路上に配設することで上述の効果を得ることが可能である。
【００１９】
この場合、スプール往復動機構に、一方向クラッチによる動力伝達が許容される回転方向への制御体の空回りを防止する部材を備えることで、操作者が意図しない制御体の回転を防止し、スプールの不必要な移動を防止することが可能となる。空回りを防止する部材として、例えば、制御体と従動ギヤとの間にフリクションを発生させる部材を備えることで、操作者が意図しない制御体の回転を防止することが可能となる。
【００２０】
さらに、上述の構成に加えて、釣糸をスプールから引き出すロータの回転に制動力を付与するロータ制動機構を備える場合には、ロータの逆回転時に発生していた振動が除去されるので、ロータ制動機構に対する操作に集中することが可能となり、魚とのやり取りをより一層楽しみながら魚釣りを行うことが可能となる。
【発明の効果】
【００２１】
本発明によれば、ロータの逆回転時に発生する振動に起因する諸問題を解決することができると共に、スプール往復動装置の耐久性、並びにロータ逆回転時におけるフリー性に優れた魚釣用スピニングリールが得られるようになる。
【発明を実施するための最良の形態】
【００２２】
以下、図面を参照しながら本発明の実施形態について説明する。
【００２３】
図１は、本発明の第１の実施形態に係る魚釣用スピニングリールの全体的な構成を示している。
【００２４】
図１に示すように、本発明に係る魚釣用スピニングリールのリール本体１には、釣竿に装着されるリール脚２が一体形成されており、その前方には回転可能に支持されたロータ３と、ロータ３の回転運動と同期して前後動可能に支持されたスプール４が配設されている。
【００２５】
ロータ３は、スプール４の周囲を回転する一対の腕部３ａを備えており、各腕部３ａの夫々の前端部には、ベール３ｂの基端部を取り付けたベール支持部材３ｃが釣糸巻取り位置と釣糸放出位置との間で回動自在に支持されている。なお、ベール３ｂの一方の基端部は、ベール支持部材３ｃに一体的に設けられた釣糸案内部３ｄに取り付けられている。
【００２６】
リール本体１内には、ハンドル軸５が回転可能に支持されており、その突出端部には、ハンドル６が取り付けられている。また、ハンドル軸５には、巻取り駆動機構が係合しており、この巻取り駆動機構は、ハンドル軸５に一体回転可能に装着された駆動ギヤ（フェースギヤ）７と、この駆動ギヤ７に噛合すると共にハンドル軸５と直交する方向に延出し、内部に軸方向に延出する空洞部が形成されたピニオン８とを備えている。
【００２７】
ピニオン８は、一対の前後に配置した軸受け９を介してリール本体１内に回転可能に支持されている。また、スプール４側に向けて延出しており、その先端部において、ロータ３が取り付けられている。ピニオン８には、その中間部分に一方向クラッチ１０が取り付けられており、リール本体１の外部に設けられたレバー１１を回動操作することで一方向クラッチ１０を作動させ、ハンドル６（ロータ３）の釣糸繰出し方向の逆回転を防止する公知の逆転防止装置を構成するようになっている。
【００２８】
ピニオン８の内部に形成された空洞部には、ハンドル軸５と直交する方向に延出し、先端側にスプール４を装着したスプール軸（メインシャフト）１２が軸方向に移動可能に挿通されている。また、ピニオン８には、スプール４（スプール軸１２）を前後往復動させるためのスプール往復動装置１３が係合している。
【００２９】
スプール往復動装置１３は、リール本体１内に回転可能に支持され、スプール軸１２と平行に延出するウォームシャフト１４と、スプール軸１２の基端部に抜け止め固定された摺動子１５と、ウォームシャフト１４の端部に取り付けられ、ピニオン８と噛合するギヤ１６とを備えている。ウォームシャフト１４とギヤ１６との間には、ハンドル６の釣糸巻取り方向の回転における回転駆動力のみをウォームシャフト１４に伝達すべく、後述する一方向クラッチ１７が配設されている。
【００３０】
摺動子１５は、スプール軸１２に対して、ビス等によって回り止め固定される本体１５ａを備えており、この本体１５ａにはウォームシャフト１４の外周面に形成された螺旋溝１４ａと係合する係合ピン１５ｂが保持されている。ウォームシャフト１４が回転駆動されると、摺動子１５は、係合ピン１５ｂを介して前後方向に往復駆動される。
【００３１】
このような構成を有する魚釣用スピニングリールにおいて、ハンドル６により巻取り操作を行うと、ロータ３が巻取り駆動機構を介して回転駆動される共に、スプール４がスプール往復動装置１３を介して前後往復動されるので、釣糸は、釣糸案内部３ｄを介してスプール４の巻回胴部４ａに均等に巻回されるようになっている。
【００３２】
次に、上記したスプール往復動装置１３のギヤ１６内に配設した一方向クラッチ１７の構成及び作用について説明する。図２は、スプール往復動装置１３のギヤ１６周辺の拡大図であり、図３は、図２に示すＡ−Ａ線に沿った断面図である。なお、以下の説明では、図２の左方側からみた状態で時計回り方向の回転を正転と呼び、反時計回り方向の回転を逆転と呼ぶものとする。
【００３３】
操作者がハンドル６を釣糸巻取り方向に回転させると、これに応じて駆動ギヤ７が図２に示す矢印Ｂ方向に回転駆動し、ピニオン８を介してギヤ１６は逆転駆動される。一方、魚による釣糸の繰り出しによりロータ３が逆転駆動されると、これに応じてピニオン８を介してギヤ１６は正転駆動される。
【００３４】
図３に示すように、一方向クラッチ１７は、ギヤ１６の内側に回り止めされた状態で収容される外輪２１と、この外輪２１とウォームギヤ１４との間に配置される転がり部材２２と、この転がり部材２２に一定方向の付勢力を付与するバネ２３と、このバネ２３の付勢力による転がり部材２２の移動を規制する保持部材２４とから構成される。外輪２１には、各転がり部材２２の大きさに応じて楔領域とフリースペースが設けられ、ギヤ１６の回転方向に応じて転がり部材２２が両者間を移動するように構成されている。
【００３５】
具体的には、釣糸巻取り操作に応じてギヤ１６が逆転駆動（図３で反時計回り方向）されると、その駆動力は、一方向クラッチ１７に伝達される。このとき、一方向クラッチ１７の転がり部材２２はバネ２３の付勢力により楔領域に移行するため、ギヤ１６の駆動力を一方向クラッチ１７を介してウォームシャフト１４に伝達する（なお、ウォームシャフト１４は逆転駆動される）。一方、魚による釣糸の繰り出しに応じてギヤ１６が正転駆動（図３で時計回り方向）されると、その駆動力は、一方向クラッチ１７に伝達される。このとき、一方向クラッチ１７の転がり部材２２は、バネ２３の付勢力に抗して外輪２１のフリースペースに移行するため、ギヤ１６の駆動力をウォームシャフト１４に伝達することはない。
【００３６】
このように、ピニオン８と噛合するギヤ１６とウォームシャフト１４との間に一方向クラッチ１７を介在させ、釣糸をスプール４から引き出す方向のロータ３の逆転時における回転駆動力をウォームシャフト１４に伝達しないようにしているので、魚により釣糸が繰り出された場合でもウォームシャフト１４が回転することはない。このため、スプール４が前後往復動することもないので、従来、このスプール４の前後往復動に応じて発生していた振動を防止することが可能となる。この結果、この振動に起因して発生していた諸問題を全て解決することが可能となる。
【００３７】
すなわち、スプール４の前後往復動に応じて発生していた振動による操作者における不快感を除去することができるので、快適なロータ３の逆転による釣糸の繰り出し操作を行うことが可能となる。また、当該振動により釣糸を介して魚に違和感を与えるのを防止することができるので、この違和感により魚を暴れさせ、魚を取り逃がしたり釣糸を切断したりする事態を回避することができる。この結果、魚への影響を極力小さくすることができるので、釣果を向上させることが可能となる。さらに、当該振動によりリール本体１に締結されたネジが緩む事態を回避することができるので、リール本体１のメンテナンス等に要するコストや時間を低減することが可能となる。
【００３８】
また、ロータ３が逆回転した場合でもウォームシャフト１４が回転しないため、スプール往復動装置１３における螺旋溝１４ａと係合ピン１５ｂとが、従来のようにスプール４の前後往復動に応じて磨耗する事態を回避することができるので、当該スプール往復動装置１３の耐久性を向上させることが可能となる。さらに、ロータ３が逆回転した場合でもウォームシャフト１４が回転しないため、スプール４の前後往復動の方向転換時の抵抗発生によりロータ３の逆回転時におけるフリー性が劣化する事態を回避することができるので、快適に釣糸の繰り出し操作を行うことが可能となる。
【００３９】
なお、本実施の形態では、一般的なオープンフェース型の魚釣用スピニングリールについて説明しているが、本発明は、ロータ３の逆転時にスプール４を前後往復動させないようにする必要があるリールであれば、クローズドフェース型のリールにも適用することが可能であり、上述した優れた効果を得ることが可能となる。
【００４０】
特に、魚による釣糸の繰り出しに応じて逆回転するロータ３に制動力を付与するロータ制動装置を備え、意図的にロータ３の逆回転をフリーに行わせる一方、操作者のロータ制動装置に対する操作により魚とのやり取りを可能とする、上述した従来技術の特許文献１（実公平１−２０８５８号公報）に開示された所謂レバーブレーキリールにおいては、上述した優れた効果に加え、更に顕著な効果を得ることが可能となる。
【００４１】
図８は、本実施の形態に係る魚釣用スピニングリールをレバーブレーキリールに適用した場合の全体的な構成を示している。なお、図８において、第１の実施形態と同様な構成要素については、同一の参照符号を付し、その詳細な説明については省略する。
【００４２】
図８においては、ロータ３の逆回転に制動力を付与するロータ制動装置と、ロータ３の逆回転を防止する逆回転防止機構とを備える点で第１の実施形態に係る魚釣用スピニングリールと相違する。なお、これらの機構は、支軸４０を介してリール脚２に回動可能に取り付けられた操作レバー４１によって操作可能となっている。操作レバー４１の先端部には、操作者が指を引っ掛けることが可能な操作部４１ａが形成されており、リール本体１内の前部に位置する操作レバー４１の基端部には、ロータ３の円筒部の内部に延出する押圧プレート４２が取り付けられている。押圧プレート４２の先端は、制動体４３（図示しない公知の一方向クラッチを介してロータ３の逆回転時のみ、ロータ３と一体的に回転するように構成されている）と対向配置され、操作者による操作レバー４１の操作に応じて、制動体４３を内側から前方側に向けて押圧する。
【００４３】
このようなレバーブレーキリールにおいては、釣糸を繰り出す量は操作者のロータ制動装置に対する操作に依存することとなるが、本発明を適用することでロータ３の逆転時に発生していた振動が除去されるので、ロータ制動装置に対する操作に集中することが可能となり、魚とのやり取りをより一層楽しみながら魚釣りを行うことが可能となる。
【００４４】
また、第１の実施形態に係る魚釣用スピニングリールにおいては、図９に示すように、ピニオン８に噛合するギヤ１６とウォームシャフト１４との間に一方向クラッチ１７を配設し、ハンドル６の釣糸巻取り方向の回転における回転駆動力のみをウォームシャフト１４に伝達するようにしている。しかし、ハンドル６の釣糸巻取り方向の回転における回転駆動力のみをウォームシャフト１４に伝達することができれば、一方向クラッチ１７が配設される構成要素及び位置については適宜変更が可能である。例えば、ハンドル６による回転駆動力をウォームシャフト１４に伝達する動力伝達経路上であれば、いかなる位置に一方向クラッチ１７を配設するようにしても良い。
【００４５】
図１０は、一方向クラッチ１７の配設位置を変更した場合における、一方向クラッチ周辺の構成を説明するための模式図である。図１０においては、ピニオン８とギヤ１６との間に一方向クラッチ１７で動力伝達制御される中間ギヤ５０が配設されている。中間ギヤ５０は、リール本体１に回転自在に支持される支軸５０ｃを有する連動ギヤ５０ａと、支軸５０ｃに一方向クラッチ１７を介して動力伝達されるクラッチギヤ５０ｂとで構成されている。このように変更した場合においても、一方向クラッチ１７の作用により、ハンドル６の釣糸巻取り方向の回転における回転駆動力のみをウォームシャフト１４に伝達することができるので、上記第１の実施形態と同様の効果を得ることが可能である。
【００４６】
また、本実施の形態においては、ロータ３の逆転時における回転駆動力をウォームシャフト１４に伝達しない構成としているが、かかる構成を維持しつつ、更なる優れた効果を得るために適宜、新たな部材をスプール往復動装置１３に追加することが可能である。例えば、一方向クラッチ１７の作用により許容される回転方向へのウォームシャフト１４の空回りを防止する部材を追加するようにしても良い。
【００４７】
すなわち、上記構成においては、ウォームシャフト１４とギヤ１６との間に一方向クラッチ１７を配設することで、釣糸の繰り出しによるロータ３の逆転時の回転方向へのウォームシャフト１４の回転を防止する。しかし、ロータ３の正転時の回転方向への、摺動子１５内の係合ピン１５ｂが係合する図３においてウォームシャフト１４の回転（反時計方向の回転）は規制されることがないため、例えば、釣竿を水平状態から引き起こした場合にスプール４の自重によりウォームシャフト１４が当該回転方向に空回りする事態が発生し得る。
【００４８】
このようなウォームシャフト１４の空回りを防止する部材を追加することは、操作者が意図しないウォームシャフト１４の回転を防止し、スプール４の不必要な移動を防止することができるため、実施の形態として好ましい。ウォームシャフト１４の空回りを防止するには、例えば、ウォームシャフト１４とギヤ１６との間にフリクションを発生させる部材（以下、「フリクション発生部材」という）を配設することで実現することが可能である。
【００４９】
図４は、フリクション発生部材を追加した場合におけるスプール往復動装置１３のギヤ１６周辺の拡大図である。同図においては、ウォームシャフト１４とギヤ１６との間にフリクション発生部材としてＯリング２５（弾性ゴムリング）を取り付けた場合について示している。なお、フリクション発生部材は、ウォームシャフト１４の空回りを防止するフリクションを発生させることができれば良く、Ｏリング２５に限らず、リーフスプリングやコイルスプリングなどの部材で構成しても良い。
【００５０】
このように、ウォームシャフト１４とギヤ１６との間にフリクション発生部材を配置し、ウォームシャフト１４の空回りを防止するようにした場合には、操作者が意図しないウォームシャフト１４の回転を防止し、スプール４の不必要な移動を防止することができる。この結果、スプール４の巻回胴部４ａにおける糸巻き状態が悪化する事態を防止することが可能となる。
【００５１】
また、上述の構成を維持しつつ、更なる優れた効果を得るための部材として、例えば、ウォームシャフト１４における一方向クラッチ１７の連結部分を補強する部材を追加するようにしても良い。
【００５２】
すなわち、上記構成においては、ロータ３の逆転時の回転方向へのウォームシャフト１４の回転を防止すべく、ウォームシャフト１４とギヤ１６との間に一方向クラッチ１７を配設している。一方向クラッチ１７との連結部分は、釣糸巻取り時の駆動力伝達の役目上、ある程度の強度が要求されるため、例えば、ウォームシャフト１４をステンレス（ＳＵＳ）や炭素工具鋼（ＳＫ）などの高強度の材料で構成する必要がある。しかし、このような材料でウォームシャフト１４を構成した場合にはウォームシャフト１４自体の重量が大幅に増加する事態が発生し得る。
【００５３】
このようなウォームシャフト１４の重量の増加を回避すべく、ウォームシャフト１４における一方向クラッチ１７の連結部分を補強する部材を追加することは、ウォームシャフト１４の重量の増加を最小限に抑えつつ、一方向クラッチ１７との連結部分の強度を得ることが可能となるため、実施の形態として好ましい。ウォームシャフト１４における一方向クラッチ１７の連結部分を補強するには、例えば、当該連結部分に高強度の補強部材を圧入することで実現することが可能である。
【００５４】
図５は、ウォームシャフト１４に高強度の補強部材を圧入した場合におけるスプール往復動装置１３のギヤ１６周辺の拡大図である。同図においては、ウォームシャフト１４における一方向クラッチ１７の連結部分に補強部材としてカラー２６を圧入した場合について示している。このようなカラー２６としては、例えば、ステンレス（ＳＵＳ）や炭素工具鋼（ＳＫ）などの高強度の材料で設けることが好ましい。
【００５５】
このように、ウォームシャフト１４に高強度の補強部材を圧入し、一方向クラッチ１７との連結部分を補強した場合には、ウォームシャフト１４における当該連結部分以外の部分をアルミニウム（Ａｌ）やチタンなどの軽量の材料で構成することが可能となる。この結果、ウォームシャフト１４の重量の増加を最小限に抑えつつ、一方向クラッチ１７との連結部分の強度を得ることが可能となる。
【００５６】
以上、本発明に係る魚釣用スピニングリールの実施系形態について説明したが、本発明は、上記実施形態に限定されることなく、種々変形することが可能である。上記した実施形態においては、ウォームシャフト１４を使用したスプール往復動装置１３について示しているが、例えば、組み付けられるスピニングリールの構成に応じて、スプール往復動装置１３の構成については、適宜変形することが可能である。例えば、所謂ギヤオシレート方式のスプール往復動装置に適用することが可能である。
【００５７】
以下、図６及び図７を参照して本発明の第２の実施形態について説明する。なお、これらの図において、図６は、第２の実施形態に係る魚釣用スピニングリールの全体的な構成を示す図であり、図７は、図６に示すＡ−Ａ線に沿った断面図である。また、以下に説明する実施形態では、上記した第１の実施形態と同様な構成要素については、同一の参照符号を付し、その詳細な説明については省略する。
【００５８】
図６に示すリール本体１には、スプール４（スプール軸１２）を前後動するスプール往復動装置３０が組み込まれており、このスプール往復動装置３０は、ハンドル軸５に一体回転可能に設けられた駆動ギヤ３１（ハンドル軸５に一体形成されているのが好ましい）と、リール本体１に回転可能に支持され、駆動ギヤ３１に噛合する従動ギヤ３２とを有している。
【００５９】
この従動ギヤ３２に対向する位置に、リール本体１に回転可能に支持される制御体３３が取り付けられている。制御体３３には、中心より偏芯した端部表面に係合突起３３ａが形成されており、この係合突起３３ａは、スプール軸１２の後端部にビス止めされた摺動子３４に形成された係合溝３５内に係合されている。この結果、ハンドル６の巻取り操作によって駆動ギヤ３１を介して従動ギヤ３２及び制御体３３が回転駆動されると、係合突起３３ａは、所定の回転軌跡を移動しながら係合溝３５内を案内され、これに伴ってスプール軸１２（スプール４）を前後往復動に変換させる。
【００６０】
図７に示すように、制御体３３は、リール本体１から突出形成された突出軸１ａに対して回転自在に取り付けられ、この突出軸１ａが形成される壁面との間に従動ギヤ３２を挟んだ状態で取り付けられている。突出軸１ａに取り付けられた制御体３３と従動ギヤ３２の支持部との間には、後述する一方向クラッチ３６が配設されている。この一方向クラッチ３６は、実施の形態１に係る一方向クラッチ１７と同様の構成を有し、ハンドル６の釣糸巻取り方向の回転における回転駆動力のみを制御体３３に伝達するものであり、その詳細な説明は省略する。
【００６１】
このような構成を有する魚釣用スピニングリールにおいて、ハンドル６により巻取り操作を行うと、ロータ３が巻取り駆動機構を介して回転駆動される共に、スプール４がスプール往復動装置３０を介して前後往復動されるので、釣糸は、釣糸案内部３ｄを介してスプール４の巻回胴部４ａに均等に巻回されるようになっている。
【００６２】
次に、上記したスプール往復動装置３０の一方向クラッチ３６の作用について説明する。なお、以下の説明では、図６の手前側からみた状態（図７の左方側からみた状態）で時計回り方向の回転を正転と呼び、反時計回り方向の回転を逆転と呼ぶものとする。
【００６３】
操作者がハンドル６を釣糸巻取り方向に回転させると、これに応じて駆動ギヤ３１が逆転駆動される。駆動ギヤ３１が逆転駆動されると、これに応じて従動ギヤ３２が正転駆動され、その駆動力は、一方向クラッチ３６に伝達される。このとき、一方向クラッチ３６の転がり部材は楔領域に移行する構成を採るため、駆動力を制御体３３に伝達する（なお、制御体３３は正転駆動される）。制御体３３が正転駆動されることで、係合突起３３ａが係合溝３５内を所定の回転軌跡を移動しながら案内され、これに伴ってスプール軸１２（スプール４）が前後往復動を行う。
【００６４】
一方、魚による釣糸の繰り出しによりロータ３が釣糸繰出し方向に回転すると、ピニオン８を介して駆動ギヤ７及び駆動ギヤ３１が正転駆動される。駆動ギヤ３１が正転駆動されると、これに応じて従動ギヤ３２が逆転駆動され、その駆動力は、一方向クラッチ３６に伝達される。このとき、一方向クラッチ３６の転がり部材は、フリースペースに移行する構成を採るため、駆動力を制御体３３に伝達することはない。このため、係合突起３３ａが移動することもないため、スプール軸１２（スプール４）が前後往復動を行うこともない。
【００６５】
このように、制御体３３に摺動子３４に形成された係合溝３５内に係合する係合突起３３ａを設けると共に、従動ギヤ３２と制御体３３との間に一方向クラッチ３６を介在させ、ロータ３の逆転時における回転駆動力を制御体３３に伝達しないようにしているので、魚により釣糸が繰り出された場合でも制御体３３が回転することはない。このため、スプール４が前後往復動することもないので、従来、このスプール４の前後往復動に応じて発生していた振動を防止することが可能となる。この結果、従来、この振動に起因して発生していた諸問題を全て解決することができ、実施の形態１と同様の効果を得ることが可能となる。
【００６６】
なお、実施の形態２においては、制御体３３と従動ギヤ３２の支持部との間に、一方向クラッチ３６を配設し、ハンドル６の釣糸巻取り方向の回転における回転駆動力のみを制御体３３に伝達するようにしている。しかし、ハンドル６の釣糸巻取り方向の回転における回転駆動力のみを制御体３３に伝達することができれば、一方向クラッチ３６が配設される構成要素及び位置については適宜変更が可能である。例えば、ハンドル６による回転駆動力を制御体３３に伝達する動力伝達経路上であれば、いかなる位置に一方向クラッチ３６を配設するようにしても良い。なお、以下においては、魚釣用スピニングリールが従動ギヤ３２を備える場合について示すが、一方向クラッチ３６の配設位置によっては、必ずしも従動ギヤ３２は必要とされる構成要素ではない。
【００６７】
図１１及び図１２は、一方向クラッチ３６の配設位置を変更した場合における、一方向クラッチ３６周辺の構成を説明するための図である。なお、図１１及び図１２において、第２の実施形態と同様な構成要素については、同一の参照符号を付し、その詳細な説明については省略する。
【００６８】
図１１においては、ハンドル軸５と駆動ギヤ３１との間に一方向クラッチ３６を介在させた場合について示しており、図１２においては、駆動ギヤ３１と制御体３３（係合突起３３ａを有する従動ギヤ）との間に、上記図１０で説明した中間ギヤ５０と基本的に同一構成の中間ギヤ５１を配設し、当該中間ギヤ５１に一方向クラッチ３６を取り付けた場合について示している。このように変更した場合においても、一方向クラッチ３６の作用により、ハンドル６の釣糸巻取り方向の回転における回転駆動力のみを制御体３３に伝達することができるので、上記第２の実施形態と同様の効果を得ることが可能である。
【００６９】
また、実施の形態２においても、ロータ３の逆転時における回転駆動力を制御体３３に伝達しない構成を維持しつつ、更なる優れた効果を得るために適宜、新たな部材をスプール往復動装置３０に追加することが可能である。例えば、上述のように、一方向クラッチ３６の作用により許容される回転方向への制御体３３の空回りを防止する部材を追加するようにしても良い。
【００７０】
スプール往復動装置３０に対して、一方向クラッチ３６の作用により許容される回転方向への制御体３３の空回りを防止する部材を追加する場合には、上記実施形態と同様に、一方向クラッチ３６が介在されて動力伝達が遮断される部分に形成される空間にフリクション発生部材（例えば、弾性Ｏリング３７）を配設することで実現することが可能である。
【００７１】
このように、一方向クラッチ３６で動力伝達が遮断される部分に形成される空間にフリクション発生部材を配置した場合には、操作者が意図しない駆動ギヤ３１や中間ギヤ５１の回転を防止し、スプール４の不必要な移動を防止することができる。この結果、スプール４の巻回胴部４ａにおける糸巻き状態が悪化する事態を防止すること可能となる。
【００７２】
なお、スプール往復動装置１３（３０）に配設される一方向クラッチ１７（３６）は、上記実施形態に限定されることなく、他の構成を有する一方向クラッチを適用することが可能である。例えば、ラチェットと爪とを組み合わせて一方向クラッチを構成しても良いし、又、巻バネの締付力を利用して構成するようにしてもよい。このように変更した場合においても、上述した本実施の形態と同様の効果を得ることが可能である。
【産業上の利用可能性】
【００７３】
本発明は、ロータの逆回転時に発生する振動に起因する諸問題を解決することができると共に、スプール往復動装置の耐久性、並びにロータ逆回転時におけるフリー性に優れた魚釣用スピニングリールを提供するものであり、産業上の利用可能性を有する。
【図面の簡単な説明】
【００７４】
【図１】本発明の第１の実施形態に係る魚釣用スピニングリールの全体的な構成を示す図。
【図２】スプール往復動装置のギヤ周辺の拡大図。
【図３】図２に示すＡ−Ａ線に沿った断面図。
【図４】フリクション発生部材を追加した場合におけるスプール往復動装置のギヤ周辺の拡大図。
【図５】ウォームシャフトに高強度の補強部材を圧入した場合におけるスプール往復動装置のギヤ周辺の拡大図。
【図６】本発明の第２の実施形態に係る魚釣用スピニングリールの全体的な構成を示す図。
【図７】図６に示すＡ−Ａ線に沿った断面図。
【図８】本発明の第１の実施形態に係る魚釣用スピニングリールをレバーブレーキリールに適用した場合の全体的な構成を示す図。
【図９】第１の実施形態に係る魚釣用スピニングリールにおいて、ピニオンとウォームシャフトとの関係を説明するための模式図。
【図１０】一方向クラッチの配設位置を変更した場合の一方向クラッチ周辺の構成を説明するための模式図。
【図１１】第２の実施形態に係る魚釣用スピニングリールにおいて、一方向クラッチの配設位置を変更した場合の一方向クラッチ周辺の構成を説明するための図。
【図１２】第２の実施形態に係る魚釣用スピニングリールにおいて、一方向クラッチの配設位置を変更した場合の一方向クラッチ周辺の構成を説明するための図。
【符号の説明】
【００７５】
１  リール本体
３  ロータ
４  スプール
５  ハンドル軸
７  駆動ギヤ
１２  スプール軸
１３  スプール往復動装置
１４  ウォームシャフト
１５  摺動子
１６  ギヤ
１７  一方向クラッチ
２５  フリクション発生部材（Ｏリング）
２６  補強部材（カラー）
３０  スプール往復動装置
３１  駆動ギヤ
３２  従動ギヤ
３３  制御体
３３ａ  係合突起
３４  摺動子
３５  係合溝
３６  一方向クラッチ
４１  操作レバー
５０，５１  中間ギヤ
５０ａ  連動ギヤ
５０ｂ  クラッチギヤ
５０ｃ  支軸
【図１】
2006296416.tif 000003
【図２】
2006296416.tif 000004
【図３】
2006296416.tif 000005
【図４】
2006296416.tif 000006
【図５】
2006296416.tif 000007
【図６】
2006296416.tif 000008
【図７】
2006296416.tif 000009
【図８】
2006296416.tif 000010
【図９】
2006296416.tif 000011
【図１０】
2006296416.tif 000012
【図１１】
2006296416.tif 000013
【図１２】
2006296416.tif 000014